(57)【特許請求の範囲】
【請求項１】
撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤を添加し、フロック形成槽にて高分子凝集剤と沈降促進材を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材をフロック形成槽に輸送して再利用する凝集沈殿装置を用いてマンガン含有水を処理する方法であって、沈降促進材としてマンガン酸化物を含む粒状物を用いることを特徴とするマンガン含有水の処理方法。
【請求項２】
撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤と沈降促進材を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を凝集槽に輸送して再利用する凝集沈殿装置を用いてマンガン含有水を処理する方法であって、沈降促進材としてマンガン酸化物を含む粒状物を用いることを特徴とするマンガン含有水の処理方法。
【請求項３】
撹拌機を備えた混和槽と撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、混和槽にてマンガンを含有する被処理水に塩素剤と沈降促進材を添加し、凝集槽にて無機凝集剤を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を混和槽に輸送して再利用する凝集沈殿装置を用いてマンガン含有水を処理する方法であって、沈降促進材としてマンガン酸化物を含む粒状物を用いることを特徴とするマンガン含有水の処理方法。
【請求項４】
前記マンガン酸化物を含む粒状物として、マンガン酸化物により被覆されている粒状物を用いる、請求項１〜３のいずれかに記載のマンガン含有水の処理方法。
【請求項５】
前記マンガン酸化物により被覆されている粒状物がマンガン砂である、請求項４に記載のマンガン含有水の処理方法。
【請求項６】
前記マンガン酸化物を含む粒状物として、マンガン酸化物自体で形成された粒状物を用いる、請求項１〜３のいずれかに記載のマンガン含有水の処理方法。
【請求項７】
前記被処理水に添加する塩素剤として、次亜塩素酸ナトリウム、液化塩素溶解液及び二酸化塩素のいずれかを用いる、請求項１〜６のいずれかに記載のマンガン含有水の処理方法。
【請求項８】
前記被処理水に添加する塩素剤として次亜塩素酸ナトリウムを用い、沈殿槽出口からの処理水中の遊離塩素濃度を測定する手段を設けて、その値が0.1〜1.0mg/Lとなるように次亜塩素酸ナトリウムの注入率を制御する、請求項１〜７のいずれかに記載のマンガン含有水の処理方法。
【請求項９】
撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤を添加し、フロック形成槽にて高分子凝集剤と沈降促進材を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材をフロック形成槽に輸送して再利用する凝集沈殿装置を用いてマンガン含有水を処理する装置であって、沈降促進材がマンガン酸化物を含む粒状物からなることを特徴とするマンガン含有水の処理装置。
【請求項１０】
撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤と沈降促進材を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を凝集槽に輸送して再利用する凝集沈殿装置を用いてマンガン含有水を処理する装置であって、沈降促進材がマンガン酸化物を含む粒状物からなることを特徴とするマンガン含有水の処理装置。
【請求項１１】
撹拌機を備えた混和槽と撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、混和槽にてマンガンを含有する被処理水に塩素剤と沈降促進材を添加し、凝集槽にて無機凝集剤を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を混和槽に輸送して再利用する凝集沈殿装置を用いてマンガン含有水を処理する装置であって、沈降促進材がマンガン酸化物を含む粒状物からなることを特徴とするマンガン含有水の処理装置。
【請求項１２】
前記マンガン酸化物を含む粒状物が、マンガン酸化物により被覆されている粒状物からなる、請求項９〜１１のいずれかに記載のマンガン含有水の処理装置。
【請求項１３】
前記マンガン酸化物により被覆されている粒状物がマンガン砂である、請求項１２に記載のマンガン含有水の処理装置。
【請求項１４】
前記マンガン酸化物を含む粒状物が、マンガン酸化物自体で形成された粒状物からなる、請求項９〜１１のいずれかに記載のマンガン含有水の処理装置。
【請求項１５】
前記被処理水に添加する塩素剤が、次亜塩素酸ナトリウム、液化塩素溶解液及び二酸化塩素のいずれかからなる、請求項９〜１４のいずれかに記載のマンガン含有水の処理装置。
【請求項１６】
前記被処理水に添加する塩素剤が次亜塩素酸ナトリウムからなり、沈殿槽出口からの処理水中の遊離塩素濃度を測定する手段を有し、かつ、かつその測定手段における値が0.1〜1.0mg/Lとなるように次亜塩素酸ナトリウムの注入率を制御する手段を有する、請求項９〜１５のいずれかに記載のマンガン含有水の処理装置。
【発明の詳細な説明】
【技術分野】
【０００１】
本発明は、溶解性マンガンを含有する水の処理方法及び処理装置に関し、とくに、浄水処理、工業用水処理、下水処理、排水処理において、溶解性マンガンの酸化と酸化したマンガンを除去する、マンガン含有水の処理方法及び装置に関するものである。
【背景技術】
【０００２】
撹拌機を備えた凝集槽と撹拌機を備えたフロック形成槽と沈殿槽と該沈殿槽下部から沈殿物を引き抜く手段とその引き抜いた沈殿物を比重及び粒径により分離するためのサイクロン等の分離手段を備えた凝集沈殿装置において、凝集槽にて被処理水に酸化剤、pH調整用の酸またはアルカリ、無機凝集剤を添加し、フロック形成槽にて有機高分子凝集剤と沈降促進材とを添加し、被処理水中の懸濁物質と沈降促進材とを凝集させ、沈殿槽にて沈殿分離させ、さらに凝集沈殿した沈殿物をサイクロン等の分離手段により汚泥と沈降促進材とに分離した後、沈降促進材を凝集槽に輸送して再利用するようにした凝集沈殿装置が知られている（例えば、特許文献１、２）。このような凝集沈殿装置においては、上記酸化剤としては、例えば次亜塩素酸ナトリウム、二酸化塩素、過マンガン酸等が用いられ、pH調整用の酸またはアルカリとしては、例えば硫酸、塩酸、水酸化ナトリウム、消石灰、ソーダ灰等が用いら、凝集剤としては、例えばポリ塩化アルミニウム（以下PACと略称することもある。）、硫酸バンド、硫酸第二鉄、塩化第二鉄等が用いられる。沈降促進材としては、二酸化ケイ素を主成分とする粒状物（ケイ砂）等が用いられている。
【０００３】
ところで、酸化剤を被処理水に添加するのは、溶解性の鉄やマンガンといった金属類を酸化物に変えて、凝集沈殿やろ過処理にて除去可能とするためである。また、酸化剤として塩素剤を用いる場合には、有機物の分解、殺菌、殺藻等の目的もある。また、溶解性の鉄、マンガンを除去する方法として、被処理水に塩素剤を加え、マンガン砂ろ過装置に通水する、ろ過による方法もある。
【特許文献１】特開２０００−３３４２０９号公報
【特許文献２】特開２００４−２６７８５５号公報
【発明の開示】
【発明が解決しようとする課題】
【０００４】
被処理水中に含まれる溶解性のマンガンは、塩素剤だけでは完全に酸化できないため、過マンガン酸カリウムを用いたり、塩素剤と過マンガン酸カリウムの両方を用いたりしてマンガンを不溶態のマンガン酸化物とする処理がなされることがある。被処理水のpHを10以上とすれば、塩素だけでもマンガンを酸化することは可能であるが、pHを上げるためにアルカリを大量に使用すると、通常、処理水のpHは排水基準等の面から5.8〜8.6とする必要があることから、最終的に硫酸や塩酸といった酸まで添加する必要が生じることになり、経済性の面で不利になる。
【０００５】
また、過マンガン酸カリウムを用いれば、溶解性マンガンの酸化は容易ではあるが、過マンガン酸カリウムは粉体を溶解させる必要があり、また、注入率の制御が難しいため、単独ではあまり用いられない。塩素剤と併用すれば注入率の制御は多少容易にはなるが、二種類の薬剤を常に使用しなければならないという問題が残る。
【０００６】
さらに、マンガン砂を用いたろ過法の場合、塩素剤のみでマンガンの酸化と除去が可能ではあるものの、被処理水中に濁質や鉄が高濃度で含まれている場合には、前段に酸化処理を含む凝集沈殿処理または加圧浮上処理が必要となり、処理システムが大がかりで複雑なものとなる。
【０００７】
そこで本発明の課題は、沈降促進材を循環使用するようにした凝集沈殿処理を用い、酸化剤として実質的に塩素剤のみを用いて、簡単にかつ効率よく溶解性のマンガンを酸化して除去できるようにした、マンガン含有水の処理方法及び装置を提供することにある。
【課題を解決するための手段】
【０００８】
上記課題を解決するために、本発明に係るマンガン含有水の処理方法は、撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段（例えば、沈殿物を比重や粒径により分離するサイクロン）とを備え、凝集槽にてマンガンを含有する被処理水に塩素剤と無機凝集剤を添加し、フロック形成槽にて高分子凝集剤と沈降促進材を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材をフロック形成槽に輸送して再利用する凝集沈殿装置を用いてマンガン含有水を処理する方法であって、沈降促進材としてマンガン酸化物を含む粒状物を用いることを特徴とする方法からなる。
【０００９】
また、もう一つの本発明に係るマンガン含有水の処理方法は、撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤と沈降促進材を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を凝集槽に輸送して再利用する凝集沈殿装置を用いてマンガン含有水を処理する方法であって、沈降促進材としてマンガン酸化物を含む粒状物を用いることを特徴とする方法からなる。
【００１０】
さらに、もう一つの本発明に係るマンガン含有水の処理方法は、撹拌機を備えた混和槽と撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、混和槽にてマンガンを含有する被処理水に塩素剤と沈降促進材を添加し、凝集槽にて無機凝集剤を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を混和槽に輸送して再利用する凝集沈殿装置を用いてマンガン含有水を処理する方法であって、沈降促進材としてマンガン酸化物を含む粒状物を用いることを特徴とする方法からなる。
【００１１】
すなわち、これら本発明に係るマンガン含有水の処理方法においては、沈降促進材の添加、回収位置は異なるものの、沈降促進材としてマンガン酸化物を含む粒状物を用いることに特徴がある。
【００１２】
上記マンガン酸化物を含む粒状物としては、マンガン酸化物により被覆されている粒状物を用いることができ、該マンガン酸化物により被覆されている粒状物としては、例えば、いわゆるマンガン砂であるを用いることができる。あるいは、上記マンガン酸化物を含む粒状物として、マンガン酸化物自体で形成された粒状物を用いることもできる。
【００１３】
また、上記被処理水に添加する塩素剤としては、例えば、次亜塩素酸ナトリウム、液化塩素溶解液及び二酸化塩素のいずれかを用いることができる。
【００１４】
また、上記被処理水に添加する塩素剤として次亜塩素酸ナトリウムを用い、沈殿槽出口からの処理水中の遊離塩素濃度を測定する手段（つまり、残留塩素濃度計）を設けて、その値が0.1〜1.0mg/Lとなるように次亜塩素酸ナトリウムの注入率を制御することができる。
【００１５】
本発明に係るマンガン含有水の処理装置は、撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤を添加し、フロック形成槽にて高分子凝集剤と沈降促進材を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材をフロック形成槽に輸送して再利用する凝集沈殿装置を用いてマンガン含有水を処理する装置であって、沈降促進材がマンガン酸化物を含む粒状物からなることを特徴とする装置からなる。
【００１６】
また、もう一つの本発明に係るマンガン含有水の処理装置は、撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、凝集槽にてマンガンを含有する被処理水に塩素剤と無機凝集剤と沈降促進材を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を凝集槽に輸送して再利用する凝集沈殿装置を用いてマンガン含有水を処理する装置であって、沈降促進材がマンガン酸化物を含む粒状物からなることを特徴とする装置からなる。
【００１７】
さらに、もう一つの本発明に係るマンガン含有水の処理装置は、撹拌機を備えた混和槽と撹拌機を備えた凝集槽と撹拌機を備えたフロック形成槽と沈殿槽と該沈殿槽下部から沈殿物を引き抜く引き抜き手段と引き抜いた沈殿物を汚泥と沈降促進材とに分離する分離手段とを備え、混和槽にてマンガンを含有する被処理水に塩素剤と沈降促進材を添加し、凝集槽にて無機凝集剤を添加し、フロック形成槽にて高分子凝集剤を添加し、被処理水中の懸濁物質と沈降促進材とを凝集させて、沈殿槽にて沈殿分離させ、さらに凝集沈殿した沈殿物を分離手段により汚泥と沈降促進材とに分離した後、沈降促進材を混和槽に輸送して再利用する凝集沈殿装置を用いてマンガン含有水を処理する装置であって、沈降促進材がマンガン酸化物を含む粒状物からなることを特徴とする装置からなる。
【００１８】
すなわち、これら本発明に係るマンガン含有水の処理装置においては、沈降促進材の添加、回収位置は異なるものの、沈降促進材がマンガン酸化物を含む粒状物からなることに特徴がある。
【００１９】
上記マンガン酸化物を含む粒状物としては、マンガン酸化物により被覆されている粒状物からなる構成とすることができ、該マンガン酸化物により被覆されている粒状物としては、例えば、いわゆるマンガン砂とすることができる。あるいは、上記マンガン酸化物を含む粒状物として、マンガン酸化物自体で形成された粒状物からなる構成とすることもできる。
【００２０】
また、上記被処理水に添加する塩素剤は、例えば、次亜塩素酸ナトリウム、液化塩素溶解液及び二酸化塩素のいずれかとすることができる。
【００２１】
また、上記被処理水に添加する塩素剤が次亜塩素酸ナトリウムからなり、沈殿槽出口からの処理水中の遊離塩素濃度を測定する手段を有し、かつ、かつその測定手段における値が0.1〜1.0mg/Lとなるように次亜塩素酸ナトリウムの注入率を制御する手段を有する構  
【００２２】
なお、本発明に係るマンガン含有水の処理方法及び装置において、マンガン酸化物を含む粒状物からなる沈降促進材の粒径は、特に限定されないが、平均粒径として２０〜２００μｍのものが、処理効果の面から好ましい。
【発明の効果】
【００２３】
本発明に係るマンガン含有水の処理方法及び装置によれば、溶解性のマンガンを含む被処理水を凝集沈殿処理を用いて処理するに際し、マンガン酸化物を含む粒状物からなる沈降促進材を用いることにより、酸化剤として塩素剤のみを用いて溶解性マンガンを酸化し、かつ酸化したマンガンを除去することが可能となる。したがって、簡単にかつ効率よく溶解性のマンガンを酸化して除去できるようになる。
【発明を実施するための最良の形態】
【００２４】
以下に、本発明の望ましい実施の形態を、実施例に基づいて、図面を参照しながら説明する。
ダム水を原水とする浄水処理において、精密ろ過（MF膜ろ過）処理の前処理として、本発明における凝集沈殿処理及び鉄、マンガンの酸化及び除去を行った。膜ろ過処理を行う場合、原水（被処理水）中に溶解性の金属、特にマンガンが含まれていると、膜面上で酸化し、水が透過する孔を塞ぐ、いわゆる目詰まり（ファウリング）を起こしてしまう。そのため、膜ろ過の前で溶解性の金属を酸化、できれば酸化物とした後に除去しておくことが望ましい。なお、ここでは精密ろ過としたが、緩速ろ過、急速ろ過、限外ろ過等の除濁ろ過方法を採用することが可能である。
【００２５】
本原水には、懸濁成分（濁度）、色度、有機物の他にダム底泥から溶出した鉄、マンガンが含まれており、精密ろ過を行う前に鉄、マンガンを酸化あるいは酸化後に除去しておく必要がある（特に本発明では、溶解性のマンガンを除去対象としている）。そこで、精密ろ過の前段に本発明に係る方法及び装置にて溶解性の鉄、マンガンの酸化、酸化した鉄、マンガンの除去を行った。なお、本発明に係る方法及び装置では、本来の機能である凝集沈殿処理により、濁度、色度、有機汚物も同時に除去することが可能である。
【００２６】
本発明に係る方法及び装置の具体的な実施例を図１〜図３に示す。図１は実施例１の装置フローを示しており、図１のフロー自体は従来法と同じで、使用する沈降促進材が通常のケイ砂（従来法）か、ケイ砂に酸化マンガンを被覆させたマンガン砂（実施例１）かの違いのみである。図２に示す実施例２では、沈降促進材の添加位置（戻し位置）をフロック形成槽から凝集槽へ変更した。沈降促進材はマンガン砂とした。図３に示す実施例３では、凝集槽の前段に混和槽を設置し、沈降促進材の添加位置（戻し位置）を混和槽とした。沈降促進材はマンガン砂とした。
【００２７】
まず、図１〜図３に示した実施例１〜３の装置構成について説明する。
図１に示す実施例１のマンガン含有水の処理装置１においては、凝集沈殿装置２が、撹拌機３を備えた凝集槽４と、撹拌機５を備えたフロック形成槽６と、槽内上部に傾斜板７を備えた沈殿槽８と、該沈殿槽８の下部から沈殿物９を引き抜く引き抜き手段１０としての汚泥循環ポンプ１１及びその引き抜きライン１２と、引き抜いた沈殿物を汚泥と沈降促進材とに分離する分離手段としてのサイクロン１３とを備えている。溶解性のマンガンを含有する被処理水としての原水１４が凝集槽４に導入され、凝集槽４にてマンガンを含有する被処理水に塩素剤１５（図示例では、次亜塩素酸ナトリウム）と無機凝集剤１６（図示例では、ポリ塩化アルミニウム〔ＰＡＣ〕）が各ポンプ１７、１８を介して添加され、フロック形成槽６にて、凝集助剤としての高分子凝集剤１９（本例では、ノニオン性アクリルアミドポリマー）がポンプ２０を介して添加されるとともに、沈降促進材２１が添加され、被処理水中の懸濁物質と沈降促進材２１とが凝集されて、沈殿槽８にて沈殿分離され、さらに凝集沈殿した沈殿物９が分離手段としてのサイクロン１３により汚泥２２と沈降促進材２１とに分離された後、分離された沈降促進材２１がフロック形成槽６に輸送されて再利用されるようになっている。従来法では、沈降促進材としてケイ砂が用いられていたが、本発明の実施例１ではマンガン砂を用いた。実施例２、３でも同様に、沈降促進材としてマンガン砂を用いた。
【００２８】
図２に示す実施例２のマンガン含有水の処理装置４１においては、沈降促進材２１の添加位置（戻し位置）をフロック形成槽６から凝集槽４に変更し、その他の構成については実質的に図１に示した実施例１と同じとした。図３に示す実施例３のマンガン含有水の処理装置５１においては、凝集槽４の前段に攪拌機５２を備えた混和槽５３を設置し、沈降促進材２１の添加位置（戻し位置）を混和槽５３とした。その他の構成については実質的に図１に示した実施例１と同じとした。
【００２９】
これら図１〜図３に示した装置においては、沈殿槽８の上部（出口）からの処理水２３中の遊離塩素濃度が残留塩素濃度計２４によって自動測定できるようになっており、処理水２３は、ろ過入口弁２５を介し精密ろ過装置２６に導入されてろ過されるようになっている。ろ過された処理水２７は、処理水弁２８を介して一旦逆洗水槽２９に貯留され、そこから浄水３０として所定の行き先に送られるようになっている。この逆洗水槽２９に貯留された浄水３０は、逆洗水３１としてポンプ３２により精密ろ過装置２６に送ることができるようになっており、逆洗後の逆洗排水３３は逆洗排水弁３４を介して排出されるようになっている。
【００３０】
上記装置の仕様、運転条件は以下の通りである。
・処理水量：9.5m3/h
・原水濁度：3.7〜4.5度、平均濁度4.0度
・凝集沈殿装置：スキッド本体寸法：2.3mW×1.5mD×3.4mH
混和槽：図３の装置の場合のみ設置
凝集槽：0.44m3、撹拌機付き
フロック形成槽：0.50m3、撹拌機付き
沈殿槽：0.50m3、（表面積0.25m2、0.5m ×0.5m）
汚泥循環量：0.5m3/h
・汚泥濃縮槽：１m3（図示略）
・塩素剤：次亜塩素酸ナトリウム、沈殿処理水の遊離塩素濃度が0.7mg/Lとなるように添加
・凝集剤：PAC 、注入率20〜50mg/L
・凝集助剤：ノニオン性アクリルアミドポリマー、分子量1600万、
注入率0.2〜0.5mg/L
・沈降促進材：従来法：ケイ砂
本発明の実施例１〜３：マンガン砂
【００３１】
表１に従来法と本発明の実施例１〜３の処理水中のマンガン濃度、鉄濃度を示す。なお、原水は溶解性のマンガン、鉄濃度で、他は全マンガン、全鉄の濃度である。表１に示すように、実施例１〜３のいずれにおいても、従来法よりもマンガン、鉄濃度が低減できていることが分かる。なお、参考として、水道水質基準値は、鉄が0.3mg/L、マンガンが0.05mg/Lである。
【００３２】
【表１】
0004761447.tif 000002
【産業上の利用可能性】
【００３３】
本発明に係るマンガン含有水の処理方法及び装置は、溶解性マンガンの除去が要求されるあらゆる浄水処理、工業用水処理、下水処理、排水処理等に適用することができる。
【図面の簡単な説明】
【００３４】
【図１】本発明の実施例１に係るマンガン含有水の処理装置の機器系統図である。
【図２】本発明の実施例２に係るマンガン含有水の処理装置の機器系統図である。
【図３】本発明の実施例３に係るマンガン含有水の処理装置の機器系統図である。
【符号の説明】
【００３５】
１、４１、５１  マンガン含有水の処理装置
２  凝集沈殿装置
３  撹拌機
４  凝集槽
５  撹拌機
６  フロック形成槽
７  傾斜板
８  沈殿槽
９  沈殿物
１０  引き抜き手段
１１  汚泥循環ポンプ
１２  引き抜きライン
１３  分離手段としてのサイクロン
１４  被処理水としての原水
１５  塩素剤としての次亜塩素酸ナトリウム
１６  無機凝集剤としてのポリ塩化アルミニウム（ＰＡＣ）
１７、１８、２０  ポンプ
１９  高分子凝集剤としてのポリマー
２１  沈降促進材
２２  汚泥
２３  処理水
２４  残留塩素濃度計
２５  ろ過入口弁
２６  精密ろ過装置
２７  ろ過された処理水
２８  処理水弁
２９  逆洗水槽
３０  浄水
３１  逆洗水
３２  ポンプ
３３  逆洗排水
３４  逆洗排水弁
５２  撹拌機
５３  混和槽
【図１】
0004761447.tif 000003
【図２】
0004761447.tif 000004
【図３】
0004761447.tif 000005